(57)【要約】【課題】部分拡大して印刷した写真から、ゴールタイムもしくはレース情報がわかる着順判定装置を提供する。【解決手段】ビデオカメラを用いて撮像して記憶した着順判定用画像を部分拡大して印刷する際、該部分拡大した着順判定用画像２とともにタイムマーカ４１およびレース情報４３の少なくとも一方を印刷することを特徴とする。【選択図】  図４
2004242696.tif 000002
【特許請求の範囲】
【請求項１】
ビデオカメラを用いて撮像して記憶した着順判定用画像を部分拡大して印刷する際、該部分拡大した前記着順判定用画像とともにタイムマーカおよびレース情報の少なくとも一方を印刷することを特徴とする着順判定装置。
【発明の詳細な説明】
【０００１】
【発明の属する技術分野】
本発明は、ビデオカメラを用いて撮像した競艇、競馬、競輪、陸上競技等における着順判定装置の着順判定用画像の印刷に関するものである。
【０００２】
【従来の技術】
従来のラインセンサカメラを使用した着順判定装置（例えば、特許文献１）は、ゴールライン等の判定基準線上を通過する移動体を、前記判定基準線に正確に一致させたラインセンサカメラを用いて撮像し、該ラインセンサカメラの出力である一次元の映像信号を走査変換機能を有する画像記憶部に入力し、着順判定用画像にタイムマーカやレース名を重畳して記録し、読み出して、ビデオモニタに出力して表示し、また印刷して着順を判定する。
【０００３】
着順判定装置を使用するものとしては、競艇、競馬、競輪、陸上競技等があり、ボート、馬、自転車、走者等の移動体がゴールライン等の判定基準線上を通過するが、その移動体をラインセンサカメラで撮像して、着順を判定する。
【０００４】
【特許文献１】
特開平７−３２０１０７号公報（第２頁、図１）
【０００５】
【発明が解決しようとする課題】
図５は従来の印刷を説明する図であり、図５の（ａ）のように、上記画像記憶部に内在するメモリ部５１には、移動体５２を有する着順判定用画像６０にタイムマーカ６１や判定線６２やレース名６３が重畳されて記憶されている。
【０００６】
ここで、通常等倍にて印刷する場合は、上記画像記憶部に内在するプリントメモリ５３に、メモリ部５１に記憶の記憶情報がそのまま転送され、したがって走者者が印刷を実行すると、着順判定用画像６０とともにタイムマーカ６１や判定線６２やレース名などのレース情報６３も印刷される。
【０００７】
しかしながら、競輪の場合には、着順の差がほとんどなく、したがって肉眼で判断することが困難で、拡大印刷した写真をみて判断する必要が多々ある。
【０００８】
しかし、部分拡大して印刷する場合には、（ｂ）のように、上記画像記憶部に内在するメモリ部５１は、移動体２の部分拡大した画像６４のみとなるので、上記画像記憶部に内在するプリントメモリ５３も、部分拡大した画像６４のみとなり、したがって印刷を実行すると、部分拡大した画像６４しか印刷されない。
【０００９】
タイムマーカやレース情報が記載されていない写真では、ゴールタイムがわからなくなることが多い、またどのレースを撮影したものかわからないことが多い。
【００１０】
本発明の目的は、部分拡大して印刷した写真から、ゴールタイムもしくはレース情報がわかる着順判定装置を提供することにある。
【００１１】
【課題を解決するための手段】
上記目的を達成するため、本発明の着順判定装置は、ビデオカメラを用いて撮像して記憶した着順判定用画像を部分拡大して印刷する際、該部分拡大した前記着順判定用画像とともにタイムマーカおよびレース情報の少なくとも一方を印刷することを特徴とする。
【００１２】
【発明の実施の形態】
本発明の実施例として、競艇、競輪、陸上競技に使用する着順およびタイム測定装置について図１〜図４により説明する。
【００１３】
本発明の着順判定装置の実施例として競輪に使用する場合について、以下、図１から図４により説明する。
【００１４】
図１は本発明の着順判定装置の実施例を示す構成図である。図１に示す着順判定装置において、１はゴールライン等の判定基準線、２は判定基準線１上を通過する移動体である自転車、３はラインセンサカメラ、４はレンズ、５は画像記録部、１７は高精細モニタ、１８は画像ファイリング装置、１９はプリンタ、２０−１は操作器を示している。
【００１５】
画像記録部５をさらに詳しく説明すると、６はラインセンサカメラ３から出力された映像信号をディジタル信号化するＡ／Ｄ変換回路、７はＡ／Ｄ変換回路６からのディジタル映像信号をメモリ部に記憶させる書き込み回路、８はディジタル映像信号やディジタル情報信号を記憶するメモリ部、９はメモリ部８に記憶したディジタル映像信号やディジタル情報信号を走査変換して読み出す読み出し回路、１０は読み出し回路９から出力されたディジタル映像信号やディジタル情報信号をアナログ信号化するＤ／Ａ変換回路、１１は読み出し回路９から出力されたディジタル映像信号やディジタル情報信号を記憶するプリントメモリ、１２はタイム発生器、１３はメモリ部８の書き込みおよび読み出しを制御するアドレス制御部、１４は文字発生器、１５は中央処理装置（以下、ＣＰＵと記す。）、１６は外部信号とのインタフェイスを行うインタフェイス部である。
【００１６】
被写体である判定基準線上１を通過する移動体である自転車２をレンズ４を使用してラインセンサカメラ３により撮像し、一次元映像信号を得る。
【００１７】
ラインセンサカメラ３の映像信号は、画像記録部５へ出力され、映像信号がＡ／Ｄ変換回路６によりディジタル映像信号に変換され、書き込み回路７を経由して、メモリ部８へ書き込まれ記憶される。
【００１８】
メモリ部８は、ラインセンサカメラ３からのディジタル映像データを記憶すると同時に、タイム発生器１２からの、スタートからの経過時刻を示すタイムマーカや、文字発生器１２からの、画像に重畳表示するためのタイム発生器１０と競技名等のレース情報や判定線を、ディジタル映像データに重畳して記憶する。
【００１９】
読み出し回路９は、メモリ部８に記憶されているディジタル映像データやディジタル情報データの中から着順およびタイム判定に必要な部分を二次元の映像信号と情報信号として読み出して、テレビジョン信号に走査変換し、Ｄ／Ａ変換回路１０で、アナログ信号に変換して、高精細モニタ１７へ出力する。
【００２０】
このとき、読み出し回路９は、例えば、表示メモリを有し、読み出された二次元の映像信号と情報信号をこの表示メモリに転送して記憶して、その表示メモリの信号を走査変換する。
【００２１】
高精細モニタ１７は、Ｄ／Ａ変換回路１０から入力された二次元の映像信号と情報信号とから、着順の判定に必要な画像を表示する。
【００２２】
また、読み出し回路９から入力された二次元の映像信号と情報信号を、必要に応じて画像ファイリング装置１８に記録して保存する。
【００２３】
さらに、読み出し回路９から入力された二次元の映像信号と情報信号を、プリントメモリ１１に転送して画像を保存し、プリンタ１９にその画像をプリントする。ここでのプリントメモリ１１は、部分拡大する印刷時においての拡大時のプリントメモリとしても機能する。
【００２４】
上記書き込み回路７、メモリ部８、読み出し回路９等は、アドレス制御部１３の制御信号により、書き込み、読み出しの制御が行われる。また、操作者の操作により、操作器２０−１からの、映像信号や情報信号等の信号の記録および読み出しの手段の選択による各種制御や、外部供給信号としての基準タイマスタート信号２０−２、メモリ取込み信号２０−３等は、インタフェイス部１６を経由し、装置全体の制御を含めＣＰＵ１５により管理される。
【００２５】
次に、印刷について、図２から図４を用いて説明する。
【００２６】
上記画像記憶部５に内在するメモリ部８には、図４の（ａ）のように、移動体２を有する着順判定用画像４０にタイムマーカ４１や判定線４２やレース名などのレース情報４３が重畳されて記憶されている。
【００２７】
ここで、通常等倍にて印刷（全面印刷）する場合は、図１の画像記憶部５に内在するプリントメモリ１１に、メモリ部８に記憶の記憶情報がそのまま転送される。したがって、印刷を実行すると、着順判定用画像４０とともにタイムマーカ４１や判定線４２やレース名などのレース情報４３も印刷される。
【００２８】
次に、部分拡大して印刷する場合について説明する。
【００２９】
図２は部分拡大して印刷する場合の操作フローを示す図である。
【００３０】
まず、図１の操作器２０−１からの操作により印刷設定２１を行う。この印刷設定２１により、図４の（ａ）の着順判定用画像４０上に、図３に示す印刷メニュー３１が重畳され、重畳された画像が、Ｄ／Ａ変換回路１０を経由して高精細モニタ１７に供給され、表示される。
【００３１】
次に、高精細モニタ１７に表示された図３に示す印刷メニュー３１をみて、印刷の詳細設定を、操作器２０−１により設定を行う。この印刷設定メニュー３１において、プリンタ１９の解像度を示すｄｐｉ（ドット・パー・インチ）値や用紙サイズや用紙方向を、カーソル３２を動かし且つ数値を変えることで設定することにより、着順判定用画像上に表示させる印刷範囲枠の大きさを自動的に変化させる。
【００３２】
印刷メニュー３１の上側の移動キー３３は、移動操作ができる状態を示す記号で、実際には、移動キー３３に類似するボタンが操作器２０−１の操作パネル上に存在する。また、印刷メニュー３１の上側の移動キー３３は、モニタがタッチパネル等の操作可能な表示画面である等の場合に有効である。また、画面上での操作が不可能な場合には表示しないことにしても良い。
【００３３】
操作の手順をより詳細に説明する。印刷メニュー３１が表示されると、例えば、図３のように、各設定項目について、デフォルト値に設定されて表示される。そして、カーソル３２が印刷箇所についての設定項目「印刷箇所：全体」の表示を囲む枠として表示される。
【００３４】
例えば、操作者は、‘全体’  を‘部分’  として、全面印刷から部分印刷に設定を変更したい場合には、操作器２０−１上のボタンを操作して、移動キー３３に類似したボタンの右方向のボタンを押すことにより、‘全体’  から‘部分’  に切替わる。また、元に戻したいときは、移動キー３３に類似したボタンの左方向のボタンを押す。また、設定項目を変更したい場合には、移動キー３３に類似したボタンの下方向のボタンを押すことにより、設定項目を囲む枠の表示（カーソル３２）が、印刷設定メニュー３１内の各設定メニュー（設定項目）の指定箇所に移動する。
【００３５】
次に、操作器２０−１から印刷設定メニュー３１の終了操作を行うと、図２の印刷箇所指定状態２２となり、図４の（ｂ）に示すように、図１のメモリ部８の着順判定用画像４０上に印刷設定メニュー３１で設定された印刷表示枠が重畳され、且つ同じ画像が高精細モニタ１７にも表示される。ここで表示される印刷表示枠は、図４の（ｂ）に示すような上部タイムマーカ部枠４４、レース画像部枠４５、下部タイムマーカ部枠４６である。この印刷箇所指定２２では、操作器２０−１からの操作によりレース画像部枠４５を印刷したい任意の場所に移動することが可能である。上部タイムマーカ部枠４４、下部タイムマーカ部枠４６は、レース画像部枠４５の水平方向の動きに対して同じ時間軸上のアドレスとなっており、レース画像部枠４５の水平方向の動きに対して追従させることができる。
【００３６】
印刷箇所指定２２において印刷箇所の指定が終了すると、次に、操作器２２の印刷ボタンで、印刷２３を行う。この時、上部タイムマーカ部枠４４、レース画像部枠４５、下部タイムマーカ部枠４６で囲まれたデータおよびレース名などのレース情報４３からなる部分拡大画像が、プリントメモリ１１にそれぞれ転送され、合成された部分拡大画像４７がプリントメモリ１１に記憶される。
【００３７】
なお、上部タイムマーカ部枠４４、レース画像部枠４５、下部タイムマーカ部枠４６の３つの枠の水平方向の基準位置は、図１のメモリ部８上で同じ時間軸上のアドレスに記録されており、転送時に同一の時間軸上に転送されるため、タイムマーカ４１、判定線４２、移動体２からなる着順判定画像は、合成されても時間軸上のずれは発生しない。
【００３８】
上下のタイムマーカ部４４、４６は、判定画像の拡大に比例して上下方向の拡大も行うことができるが、必要となる着順判定用画像部分の印刷領域が狭くなるため、その部分の上下方向の拡大は行わない。また、レース名等の画像情報４３は拡大表示の場合、表示情報が途切れる場合があるため、別に転送し表示することも可能である。
【００３９】
プリントメモリ１１に記憶された合成された部分拡大画像４７は、プリンタ１９に出力され、合成された画像として印刷され、移動体２からなる着順判定用の部分拡大画像とともにタイムマーカ４１やレース名などのレース情報４３も印刷される。
【００４０】
本実施例では、プリンタ１９の解像度を示すｄｐｉ（ドット・バー・インチ）値、用紙サイズ、用紙方向により、印刷枠を設定し、拡大印刷を行うこととしたが、枠の大きさを自在に可変し、その枠に対してｄｐｉ（ドット・バー・インチ）値、用紙サイズ、用紙方向を自動的に演算し最適な印刷を行うことも可能である。
【００４１】
また本実施例では、プリントメモリ１１の出力はプリンタ１９に出力するようにしているが、プリントメモリ１１と同じ出力を読み出し回路９内の表示メモリに出力すれば高精細モニタ１７に出力するようにすれば、印刷する直前のプリントメモリ１１に記憶の合成された部分拡大画像４７で、タイムマーカやレース名などのレース情報を高精細モニタ１７でみて確認することができる。
【００４２】
【発明の効果】
本発明によれば、部分拡大して印刷した写真から、ゴールタイムもしくはレース情報がわかる着順判定装置を得ることができる。
【図面の簡単な説明】
【図１】本発明の着順判定装置の実施例を示す構成図である。
【図２】本発明の実施例において部分拡大して印刷する場合の操作フローを示す図である。
【図３】本発明の実施例において着順判定用画像上に重畳される印刷メニューを示す図である。
【図４】本発明の実施例における印刷を説明する図である。
【図５】従来の印刷を説明する図である。
【符号の説明】
１：判定基準線、２：移動体、３：ラインセンサカメラ、４：レンズ、５：画像記録部、６：Ａ／Ｄ変換回路、７：書き込み回路、８：メモリ部、９：読み出し回路、１０：Ｄ／Ａ変換回路、１１：プリントメモリ、１２：タイム発生器、１３：アドレス制御部、１４：文字発生器、１５：中央処理装置、１６：インタフェイス回路、１７：高精細モニタ、１８：画像ファイリング装置、１９：プリンタ、２０−１：操作器、２０−２：基準タイマスタート信号、２０−３：メモリ取込み信号、２１：印刷設定、２２：印刷箇所指定、２３：印刷、３１：印刷設定メニュー、３２：カーソル、３３：移動キー、４０：着順判定用画像、４１：タイムマーカ、４２：判定線、４３：レース情報、４４：上部タイムマーカ部枠、４５：レース画像枠、４６：下部タイムマーカ部、４７：合成された部分拡大画像。
【図１】
2004242696.tif 000003
【図２】
2004242696.tif 000004
【図３】
2004242696.tif 000005
【図４】
2004242696.tif 000006
【図５】
2004242696.tif 000007